(57)【要約】【課題】ダイバーシティアンテナによるキャリア合成により受信感度を向上するデジタル放送受信装置において、外部端子に接続されたアンテナ（外部アンテナ）とデジタル放送受信装置に備え付けのアンテナ（内部アンテナ）で異なる放送波を受信した場合でも正常に視聴できるようにすること。【解決手段】外部アンテナが接続された場合に、内部アンテナで受信した放送波と外部アンテナで受信した放送波を別々に復調して出力された２つのＴＳを比較し、同一の放送であるか判定する。異なる場合は、内部アンテナからの入力または外部アンテナからの入力のいずれか一方を使用して視聴をおこなう。これにより、外部アンテナと内部アンテナで異なる放送を受信したとしても、いずれか一方の放送を正常に視聴することができる。【選択図】図１
2010141766.tif 000002
【特許請求の範囲】
【請求項１】
少なくとも２つ以上のアンテナによる受信波を合成して受信するデジタル放送受信装置であって、
外部アンテナの接続を検知する挿抜検知部と、
前記外部アンテナからの入力を復調して第１のＴＳを、前記外部アンテナ以外のアンテナからの入力を復調して第２のＴＳを取得する復調部と、
前記第１のＴＳと前記第２のＴＳを比較する比較部と、
前記比較部により受信波の合成方法を変更する合成部と、を備えるデジタル放送受信装置。
【請求項２】
前記比較部は、ＴＳ内のＮＩＴ、または、ＳＤＴを使用して比較することを特徴とする請求項１に記載のデジタル放送受信装置。
【請求項３】
前記合成部は前記比較部でＴＳが一致すると判断したときに全てのアンテナの受信波を合成して復調することを特徴とする請求項１に記載のデジタル放送受信装置。
【請求項４】
前記合成部は前記比較部でＴＳが一致しないと判断したときに外部アンテナの受信波のみを用いて復調することを特徴とする請求項１に記載のデジタル放送受信装置。
【請求項５】
前記合成部は前記比較部でＴＳが一致しないと判断したときに受信感度の良好な方のＴＳを視聴することを特徴とする請求項１に記載のデジタル放送受信装置。
【発明の詳細な説明】
【技術分野】
【０００１】
本発明は、デジタル放送を視聴、録画する受信装置に関するものであって、より詳しくは、複数のアンテナにより受信した放送波をキャリア合成して受信感度を向上するデジタル放送受信装置に関する。
【背景技術】
【０００２】
デジタル放送の１つの伝送方式として、マルチパス、フェージング環境に強いＯＦＤＭ変調を用いるものがあり、日本の地上デジタル放送等に用いられている。ＯＦＤＭでは複数の受信波によるキャリア合成により受信感度を向上することができ、チューナに複数（２本、４本など）のアンテナを接続してＯＦＤＭ復調ＩＣでキャリア合成して復調し、１本のＴＳ（Ｔｒａｎｓｐｏｒｔ  Ｓｔｒｅａｍ）を出力するデジタル放送チューナが商品化されている。同じくこのチューナを搭載してシングルアンテナに比較して受信感度を向上させた車載デジタル放送受信機が商品化されている。また、複数のアンテナ入力を任意に組み合わせて複数本のＴＳを出力するチューナも商品化されており、４本の内の３本のアンテナをキャリア合成してあるチャンネルを視聴しつつ、残りの１本のアンテナを利用して受信可能なチャンネルのサーチを行うデジタル放送受信装置（特許文献１）も知られている。
【０００３】
屋外で利用する車載デジタル放送受信装置の場合、電波塔から送出された放送波を直接受信する方法が一般的であり、家庭内で使用するデジタル放送受信装置の場合、宅内に配線されているアンテナ端子に有線で接続して受信する方法が一般的である。宅内／宅外を問わず受信可能なポータブル型のデジタル放送受信機においては、内蔵アンテナによる直接受信とアンテナ線接続受信の両方の受信方法に対応することが望ましい。そのため、チューナに接続する複数のアンテナのうち、１系統（以下、ブランチと呼ぶ）を外部アンテナ入力からも接続できるようにし、外部アンテナと内蔵アンテナを切り替えて使用可能にする商品が考えられる。
【特許文献１】特開２００６−１９７１６８号公報
【発明の開示】
【発明が解決しようとする課題】
【０００４】
しかしながら、宅内では、ケーブルテレビの導入などにより、電波塔から直接受信する放送と異なる放送を受信できる可能性がある。そのような環境の場合、屋内のアンテナ端子からデジタル放送受信機の外部アンテナ端子に引き込んだ放送波と、デジタル放送受信機の内部アンテナで直接受信した放送波で別々の放送波を受信する可能性がある。この状況の下でキャリア合成を行うと、異なる情報を表す波形を合成してしまい、正常に受信できない可能性がある。
【０００５】
本発明は、従来の問題を解決するためになされたもので、外部アンテナ端子に接続したアンテナ（以下、外部アンテナ）と、機器に備え付けのアンテナ（以下、内部アンテナ）で別々の放送波を受信した場合でも、正常に視聴ができるようにしたデジタル放送受信機を提供することを目的とする。
【課題を解決するための手段】
【０００６】
本発明に係るデジタル放送受信装置は、少なくとも２つ以上のアンテナによる受信波を合成して受信するデジタル放送受信装置であって、外部アンテナの接続を検知する挿抜検知部と、前記外部アンテナからの入力を復調して第１のＴＳを、前記外部アンテナ以外のアンテナからの入力を復調して第２のＴＳを取得する復調部と、前記第１のＴＳと前記第２のＴＳを比較する比較部と、前記比較部により受信波の合成方法を変更する合成部と、を備えることを特徴とするものである。
【発明の効果】
【０００７】
本発明は、内部アンテナと外部アンテナで異なる放送波が入力されたとしても、正しく視聴できるという効果を有する。
【発明を実施するための最良の形態】
【０００８】
本発明に係るデジタル放送受信機を実施するための最良の形態は、図１乃至図２で示される。
【０００９】
＜デジタル放送受信装置１のハードウエア構成＞
本実施の形態に係るデジタル放送受信装置１のハードウエア構成は、図１で示される。デジタル放送受信装置１は、ＣＰＵ１１、ＲＯＭ１２、ＲＡＭ１３、映像ＩＣ１４、音声ＩＣ１５、内部アンテナ１６、チューナＩＣ１７、ＯＦＤＭ復調ＩＣ１８、入力デバイス１９、出力デバイス２０、外部アンテナ端子２１を備えている。これらのデバイスは、バス等で接続されている。
【００１０】
ＲＯＭ１２には、据え置き型録画装置１の起動に必要な基本プログラム（例えば、ＢＩＯＳ）が記憶されているほか、デジタル放送視聴の各種アプリケーションプログラムが格納されている。また、本発明に必要なキャリア合成変更プログラムも格納されている。
【００１１】
ＲＡＭ１３には、各種プログラムや各種データ等が展開される領域、ＯＦＤＭ復調ＩＣ１８から出力されたＴＳ（Ｔｒａｎｓｐｏｒｔ  Ｓｔｒｅａｍ）を格納する領域、ＣＰＵ１１や映像ＩＣ１５などによる処理で得られたデータが記憶される領域などが設けられている。
【００１２】
映像ＩＣ１４は映像データのデコードや出力のための変換などの機能を有する。一部または全ての機能がＣＰＵ１１に含まれることもある。
【００１３】
音声ＩＣ１５は音声データのデコードや出力のための変換などの機能を有する。一部または全ての機能がＣＰＵ１１に含まれることもある。
【００１４】
アンテナ１６はデジタル放送を受信するためのもので、本実施の形態では４本搭載する。ここではアンテナ１６はデジタル放送受信装置１の付属アンテナとして説明するが、これはこの形態に限定するものではない。それぞれのアンテナがデジタル放送受信装置１とは別に設けられる外部アンテナであってもよい。ここでは、アンテナ１６が受信する放送波が共通のものであればよい。本実施の形態では、受信する放送波が共通のアンテナ１６を内部アンテナとして説明する。アンテナ１６の各々がチューナＩＣ１７に接続される。
【００１５】
チューナＩＣ１７およびＯＦＤＭ復調ＩＣ１８（復調部）はデジタル放送の放送波を復調してＴＳを出力する。本実施の形態におけるＯＦＤＭ復調ＩＣ１８は、４つのチューナからの入力を任意の組み合わせでキャリア合成し、２つのＴＳを出力する。例えば、４つのチューナからの入力をブランチ１〜４と呼ぶことにすると、ブランチ１と２をキャリア合成して１本目のＴＳを、ブランチ３と４をキャリア合成して２本目のＴＳを出力することができる。
また、ブランチ１〜４の全てを合成して一つのＴＳを出力することも可能なものである。なお、本実施ではＯＦＤＭ復調を例に説明しているが、これに限定するものではなく、チューナ１７の出力からＴＳを出力するために何らかの復調を処理するものであればよい。
【００１６】
入力デバイス１９は装置を制御するために利用するもので、リモコンの信号を受ける赤外線受光部、ボタンなどが好適である。
【００１７】
出力デバイス２０は装置の状態や映像・音声を提示するために利用するもので、ＬＥＤ、ディスプレイ、スピーカなどが好適である。ディスプレイ、スピーカの代わりに映像出力端子、音声出力端子を備えている場合もある。
【００１８】
外部アンテナ端子２１はピンジャック型もしくはＦ栓型の端子であり、この端子と宅内に配線されているアンテナ端子との間をアンテナ線やデジタル放送受信装置１に付属していない別体の外部アンテナからのアンテナ線で接続するなどする。外部アンテナ端子２１はアンテナ線が接続されたか否かを検出する挿抜検知機能を持つ。挿抜検知機能は機械構成によるものでも、電気信号等の検出による構成のいずれでもよい。また、ここでは、アンテナ端子１２に当該機能が備わっている例として示したが、挿抜検知機能を独立の挿抜検知部としてもよい。これにより、デジタル放送受信装置１は、外部アンテナ端子２１にアンテナが接続しているかを検知することができる。外部アンテナ端子２１にアンテナが接続されている場合には、内部アンテナの代わりに外部アンテナが１つのチューナ１７の一つに接続される。なお、以下の説明では、外部アンテナ端子２１に接続されているアンテナを外部アンテナとして説明する。
【００１９】
＜キャリア合成変更処理＞
本実施の形態に係るキャリア合成変更処理はデジタル放送受信装置１にて実行される。具体的には、ＣＰＵ１１がＲＯＭ１２からＲＡＭ１３に展開されたキャリア合成変更プログラムを実行する。実行条件は、起動直後もしくはデジタル放送視聴状態になった場合で、一定時間毎に定常的に実行される。また、外部アンテナ端子へのアンテナ線の挿抜が検知された場合に実行するとしても良い。なお以下の説明では、外部アンテナがブランチ１に、ブランチ２〜４はデジタル放送受信装置１に付属のアンテナが接続されているとする。
【００２０】
本実施の形態に係るキャリア合成変更処理の流れは、図２で示される。
【００２１】
まず、ステップＳ２１で外部アンテナ接続があるか判定する。
【００２２】
外部アンテナ接続なしの場合、ステップＳ２２に進み、ブランチ１〜４をＯＦＤＭ復調ＩＣ１８で全て合成して復調し、ＴＳを出力する。
【００２３】
外部アンテナ接続ありの場合、ステップＳ２３に進み、ＯＦＤＭ復調ＩＣ１８で、外部アンテナに接続されたブランチ１と内部アンテナに接続されたブランチ２〜４の２系統の復調をおこなう。二つの復調により２本のＴＳが出力される。
【００２４】
次に、ステップＳ２４に進み、ＣＰＵ１１は、２本のＴＳが同一の放送であるか判定する。同一の放送か否かの判定には、ＴＳ内のＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）情報を使用する。具体的にはＮＩＴ（Ｎｅｔｗｏｒｋ  Ｉｎｆｏｒｍａｔｉｏｎ  Ｔａｂｌｅ）のトランスポートストリーム識別や、ＳＤＴ（Ｓｅｒｖｉｃｅ  Ｄｅｓｃｒｉｐｔｉｏｎ  Ｔａｂｌｅ）のサービス識別を比較して一致するか判定する。電子番組表（ＥＰＧ）などの番組情報表示に使用するＥＩＴ（Ｅｖｅｎｔ  Ｉｎｆｏｒｍａｔｉｏｎ  Ｔａｂｌｅ）を比較に使用しても良い。この場合ＣＰＵ１１は、２本のＴＳを比較する比較部として動作する。
【００２５】
ステップＳ２４で同一と判定された場合、ステップＳ２５に進み、ブランチ１〜４をＯＦＤＭ復調ＩＣ１８で全て合成して復調し、ＴＳを出力する。
【００２６】
ステップＳ２４で同一でないと判定された場合、ステップＳ２６に進み、外部アンテナと内部アンテナの２系統でどちらの受信感度が良いか判定する。受信感度の判定にはＯＦＤＭ復調ＩＣ１８から取得できるＣ／Ｎ比やＢＥＲ（ｂｉｔ  ｅｒｒｏｒ  ｒａｔｅ）を使用する。
【００２７】
ステップＳ２６で、外部アンテナの感度が良いと判定された場合、ステップＳ２７に進み、外部アンテナが接続されたブランチ１のみをＯＦＤＭ復調ＩＣ１８で復調してＴＳを出力する。
【００２８】
ステップＳ２６で、内部アンテナの感度が良いと判定された場合、ステップＳ２８に進み、内部アンテナが接続されたブランチ２〜４をＯＦＤＭ復調ＩＣ１８で合成して復調し、ＴＳを出力する。なお、ステップＳ２５、Ｓ２７、Ｓ２８においてＯＦＤＭ復調ＩＣ１８はＴＳの選択、合成をおこなう合成部として動作する。
【００２９】
なお、本実施の形態では、感度の良い方のＴＳを使用するとしたが、外部アンテナの方のＴＳを固定的に使用するようにしても良いし、メニューにより利用者に選択させるようにしても良い。
【００３０】
以上のように本実施の形態のデジタル放送受信装置によれば、外部アンテナと内部アンテナで異なる放送を受信したとしても、いずれか一方の放送を正常に視聴することができる。
【産業上の利用可能性】
【００３１】
本発明は、外部アンテナが接続された場合に、外部アンテナによる受信波と内部アンテナによる受信波を別々に復調してＴＳを比較し、同一の放送であるか判定する。これにより、外部アンテナと内部アンテナで異なる放送を受信したとしても、いずれかの一方の放送を正常に視聴することができるという効果を有し、宅内／宅外とも使用するポータブル型のデジタル放送受信装置等に有用である。
【図面の簡単な説明】
【００３２】
【図１】本実施の形態におけるデジタル放送受信装置のハードウエア構成を示す図
【図２】本実施の形態におけるキャリア合成変更処理の流れを示す図
【符号の説明】
【００３３】
１    デジタル放送受信装置
１１    ＣＰＵ
１２    ＲＯＭ
１３    ＲＡＭ
１４    映像ＩＣ
１５    音声ＩＣ
１６    アンテナ
１７    チューナＩＣ
１８    ＯＦＤＭ復調ＩＣ
１９    入力デバイス
２０    出力デバイス
２１    外部アンテナ端子
【図１】
2010141766.tif 000003
【図２】
2010141766.tif 000004